(57)【要約】【課題】消費電力を効果的に低減することができるＣＤＭＡ通信装置及びその消費電力低減方法の提供。【解決手段】受信信号からベースバンド信号を作成するＡ／Ｄ変換部１と、ベースバンド信号から遅延プロファイルを作成し有効なパス情報を出力するサーチャー部２と、パス情報に基づいてベースバンド信号の逆拡散処理を行なうフィンガー部３ａ…と、フィンガー部から出力される逆拡散処理後の信号を合成するレイク合成部４とを備えるＣＤＭＡ通信装置において、サーチャー部２から送信されるサーチ情報を記憶するサーチ情報記憶手段５と、サーチ情報の入力元をサーチャー部２又はサーチ情報記憶手段５に切り替えるサーチ情報切替手段７と、サーチ情報切替手段７に切替信号を送信すると共に入力元をサーチ情報記憶手段５に切り替える場合にサーチャー部２の動作を停止させるサーチャー制御手段６とを設ける。【選択図】図１
2007251616.tif 000002
【特許請求の範囲】
【請求項１】
ベースバンド信号から遅延プロファイルを作成し、有効なパス情報を出力するサーチャー部と、少なくとも前記パス情報に基づいて前記ベースバンド信号の逆拡散処理を行なう複数のフィンガー部と、前記複数のフィンガー部から出力される逆拡散処理後の信号を合成するレイク合成部とを少なくとも備えるＣＤＭＡ通信装置において、
前記サーチャー部で取得した前記パス情報を含むサーチ情報を記憶する記憶手段と、
前記フィンガー部に通知する前記パス情報の入力元を、現在のパス情報を取得している前記サーチャー部又は過去のパス情報を記憶している前記記憶手段のいずれかに切り替える切替手段と、
前記切替手段を制御する切替信号を送信すると共に、前記入力元を前記記憶手段に切り替えた場合に、前記サーチャー部の動作を停止させる制御手段と、を少なくとも備えることを特徴とするＣＤＭＡ通信装置。
【請求項２】
前記サーチ情報に、前記パス情報に対応付けて時間情報が記憶され、
前記制御手段では、前記入力元を前記記憶手段に切り替えてから、前記時間情報で特定される時間が経過した後に、前記サーチャー部の動作を再開させると共に、前記入力元を前記サーチャー部に切り替える制御を行うことを特徴とする請求項１記載のＣＤＭＡ通信装置。
【請求項３】
前記サーチ情報に、前記パス情報に対応付けて位置情報が記憶され、
前記制御手段では、前記入力元を前記記憶手段に切り替えた場合において、前記パス情報に対応付けて記憶された前記位置情報と現在取得した位置情報とが相違する場合に、前記サーチャー部の動作を再開させると共に、前記入力元を前記サーチャー部に切り替える制御を行うことを特徴とする請求項１又は２に記載のＣＤＭＡ通信装置。
【請求項４】
前記制御手段では、前記入力元を前記記憶手段に切り替えた場合において、受信エラーが発生した場合に、前記サーチャー部の動作を再開させると共に、前記入力元を前記サーチャー部に切り替える制御を行うことを特徴とする請求項１乃至３のいずれか一に記載のＣＤＭＡ通信装置。
【請求項５】
前記制御手段では、前記入力元を前記記憶手段に切り替えた場合において、受信エラーが発生した場合に、前記受信エラーが発生したことを使用者に報知する制御を行うことを特徴とする請求項１乃至４のいずれか一に記載のＣＤＭＡ通信装置。
【請求項６】
コンピュータを、
請求項１乃至５のいずれか一に記載の前記制御手段として機能させることを特徴とする制御プログラム。
【請求項７】
ベースバンド信号から遅延プロファイルを作成し、有効なパス情報を出力するサーチャー部と、少なくとも前記パス情報に基づいて前記ベースバンド信号の逆拡散処理を行なう複数のフィンガー部と、前記複数のフィンガー部から出力される逆拡散後の信号を合成するレイク合成部とを少なくとも備えるＣＤＭＡ通信装置における消費電力低減方法であって、
所定の環境において、操作部を操作して、前記サーチャー部で取得した前記パス情報を含むサーチ情報を記憶手段に記憶する第１のステップと、
前記所定の環境で再度、前記ＣＤＭＡ通信装置を使用する場合に、操作部を操作して省電力制御の開始を指示する第２のステップと、
前記記憶手段と前記複数のフィンガー部とを接続すると共に、前記サーチャー部の動作を停止させる第３のステップと、
前記記憶手段に記憶された前記サーチ情報を前記複数のフィンガー部に通知し、少なくとも前記サーチ情報に含まれる前記パス情報に基づいて逆拡散処理を実行する第４のステップと、
前記サーチャー部の動作を再開させると共に、前記記憶手段と前記複数のフィンガー部との接続を解除して、前記サーチャー部と前記複数のフィンガー部とを接続する第５のステップと、を少なくとも有することを特徴とするＣＤＭＡ通信装置における消費電力低減方法。
【請求項８】
前記第１のステップでは、前記パス情報に対応付けて時間情報を記憶し、
前記第４のステップにおいて、前記時間情報で特定される時間が経過した後に、前記第５のステップを実行することを特徴とする請求項７記載のＣＤＭＡ通信装置における消費電力低減方法。
【請求項９】
前記第１のステップでは、前記パス情報に対応付けて位置情報を記憶し、
前記第４のステップにおいて、前記パス情報に対応付けて記憶された前記位置情報と現在取得した位置情報とが相違する場合に、前記第５のステップを実行することを特徴とする請求項７又は８に記載のＣＤＭＡ通信装置における消費電力低減方法。
【請求項１０】
前記第４のステップにおいて、受信エラーが発生した場合に、前記第５のステップを実行することを特徴とする請求項７乃至９のいずれか一に記載のＣＤＭＡ通信装置における消費電力低減方法。
【請求項１１】
前記第４のステップにおいて、受信エラーが発生した場合に、前記受信エラーが発生したことを使用者に報知することを特徴とする請求項７乃至１０のいずれか一に記載のＣＤＭＡ通信装置における消費電力低減方法。
【発明の詳細な説明】
【技術分野】
【０００１】
本発明は、無線通信装置及びその消費電力低減方法並びに制御プログラムに関し、特に、ＣＤＭＡ（Code Division Multiple Access）通信装置及びその消費電力低減方法並びに制御プログラムに関する。
【背景技術】
【０００２】
広帯域ＣＤＭＡ（Ｗ−ＣＤＭＡ）通信装置においては、ベースバンド信号の速度は、狭帯域ＣＤＭＡより高速になり、ベースバンド処理部の消費電力が増す方向にある。そのため、特に、携帯端末等のバッテリー動作するＣＤＭＡ通信装置においては、通信装置の低消費電力化が必要となる。
【０００３】
ここで、上記ＣＤＭＡ通信装置の受信機は、図４に示すように、Ａ／Ｄ変換部１やサーチャー部２、フィンガー部３ａ、３ｂ、３ｃ、レイク合成部４などを主な構成要素としているが、その中で、パスを検出する為のサーチャー部２は、高速にパスを検出する目的から回路規模や消費電力が大きく、また、サーチャー部２は、遅延プロファイルの作成からパス情報の出力までの動作を絶えず繰り返していることから、ＣＤＭＡ通信装置の低消費電力化のためには、サーチャー部２の電力の低減が重要となる。
【０００４】
上記サーチャー部の電力の低減に関して、例えば、下記特許文献１には、送信データに含まれている誤り検出符号などを利用してデータ復号部で受信信号品質を測定し、パスサーチコントローラでは、測定した受信信号品質に応じてマルチパスサーチを行なう周期を変化させて、消費電力を低減する技術が開示されている。
【０００５】
【特許文献１】特開２００５−２７８２１６号公報（第４、５頁、第１、２図）
【発明の開示】
【発明が解決しようとする課題】
【０００６】
このように、パスサーチ周期を長くすることによってサーチャー部の消費電力をある程度は低減することができるが、特許文献１の構成では、通信装置を利用する環境が変化する度に通常の周期で受信信号品質の確認を行わなければならないため、消費電力を効果的に低減することができないという問題がある。また、特許文献１ではパスサーチ周期を変化させるだけであり、サーチャー部の動作を停止させるわけでないため、消費電力を効果的に低減することができないという問題もある。
【０００７】
本発明は、上記問題点に鑑みてなされたものであって、その主たる目的は、消費電力を効果的に低減することができるＣＤＭＡ通信装置及びその消費電力低減方法並びに制御プログラムを提供することにある。
【課題を解決するための手段】
【０００８】
上記目的を達成するため、本発明の装置は、ベースバンド信号から遅延プロファイルを作成し、有効なパス情報を出力するサーチャー部と、少なくとも前記パス情報に基づいて前記ベースバンド信号の逆拡散処理を行なう複数のフィンガー部と、前記複数のフィンガー部から出力される逆拡散処理後の信号を合成するレイク合成部とを少なくとも備えるＣＤＭＡ通信装置において、前記サーチャー部で取得した前記パス情報を含むサーチ情報を記憶する記憶手段と、前記フィンガー部に通知する前記パス情報の入力元を、現在のパス情報を取得している前記サーチャー部又は過去のパス情報を記憶している前記記憶手段のいずれかに切り替える切替手段と、前記切替手段を制御する切替信号を送信すると共に、前記入力元を前記記憶手段に切り替えた場合に、前記サーチャー部の動作を停止させる制御手段と、を少なくとも備えるものである。
【０００９】
本発明においては、前記サーチ情報に、前記パス情報に対応付けて時間情報が記憶され、前記制御手段では、前記入力元を前記記憶手段に切り替えてから、前記時間情報で特定される時間が経過した後に、前記サーチャー部の動作を再開させると共に、前記入力元を前記サーチャー部に切り替える制御を行う構成とすることができる。
【００１０】
また、本発明においては、前記サーチ情報に、前記パス情報に対応付けて位置情報が記憶され、前記制御手段では、前記入力元を前記記憶手段に切り替えた場合において、前記パス情報に対応付けて記憶された前記位置情報と現在取得した位置情報とが相違する場合に、前記サーチャー部の動作を再開させると共に、前記入力元を前記サーチャー部に切り替える制御を行う構成とすることもできる。
【００１１】
また、本発明においては、前記制御手段では、前記入力元を前記記憶手段に切り替えた場合において、受信エラーが発生した場合に、前記サーチャー部の動作を再開させると共に、前記入力元を前記サーチャー部に切り替える制御を行う構成とすることもできる。
【００１２】
また、本発明においては、前記制御手段では、前記入力元を前記記憶手段に切り替えた場合において、受信エラーが発生した場合に、前記受信エラーが発生したことを使用者に報知する制御を行う構成とすることもできる。
【００１３】
また、本発明のプログラムは、コンピュータを、上記いずれか一に記載の前記制御手段として機能させるものである。
【００１４】
また、本発明の方法は、ベースバンド信号から遅延プロファイルを作成し、有効なパス情報を出力するサーチャー部と、少なくとも前記パス情報に基づいて前記ベースバンド信号の逆拡散処理を行なう複数のフィンガー部と、前記複数のフィンガー部から出力される逆拡散後の信号を合成するレイク合成部とを少なくとも備えるＣＤＭＡ通信装置における消費電力低減方法であって、所定の環境において、操作部を操作して、前記サーチャー部で取得した前記パス情報を含むサーチ情報を記憶手段に記憶する第１のステップと、前記所定の環境で再度、前記ＣＤＭＡ通信装置を使用する場合に、操作部を操作して省電力制御の開始を指示する第２のステップと、前記記憶手段と前記複数のフィンガー部とを接続すると共に、前記サーチャー部の動作を停止させる第３のステップと、前記記憶手段に記憶された前記サーチ情報を前記複数のフィンガー部に通知し、少なくとも前記サーチ情報に含まれる前記パス情報に基づいて逆拡散処理を実行する第４のステップと、前記サーチャー部の動作を再開させると共に、前記記憶手段と前記複数のフィンガー部との接続を解除して、前記サーチャー部と前記複数のフィンガー部とを接続する第５のステップと、を少なくとも有するものである。
【００１５】
本発明においては、前記第１のステップでは、前記パス情報に対応付けて時間情報を記憶し、前記第４のステップにおいて、前記時間情報で特定される時間が経過した後に、前記第５のステップを実行する構成とすることができる。
【００１６】
また、本発明においては、前記第１のステップでは、前記パス情報に対応付けて位置情報を記憶し、前記第４のステップにおいて、前記パス情報に対応付けて記憶された前記位置情報と現在取得した位置情報とが相違する場合に、前記第５のステップを実行する構成とすることもできる。
【００１７】
また、本発明においては、前記第４のステップにおいて、受信エラーが発生した場合に、前記第５のステップを実行する構成とすることもできる。
【００１８】
また、本発明においては、前記第４のステップにおいて、受信エラーが発生した場合に、前記受信エラーが発生したことを使用者に報知する構成とすることもできる。
【００１９】
このように、本発明では、過去に使用したパス情報を含むサーチ情報を再利用して受信処理を行う間、サーチャー部の動作を停止させる省電力制御を実施することにより、ＣＤＭＡ通信装置の消費電力を効果的に低減することができる。また、省電力制御中に使用位置が変化した場合に省電力制御を解除したり、省電力制御中に受信エラーが発生した場合に省電力制御を実施したり、受信エラーが発生したことを報知することにより、省電力制御を実施することにより生じる不具合を未然に防止することができる。
【発明の効果】
【００２０】
本発明のＣＤＭＡ通信装置及びその消費電力低減方法並びに制御プログラムによれば、ＣＤＭＡ通信装置の消費電力を効果的に低減することができる。
【００２１】
その理由は、ＣＤＭＡ通信装置などの移動通信端末は、使用者が高速に移動している状況は限られ、自宅や会社、職場等で固定して用いられる時間帯が長いという特質を考慮して、過去に使用したパス情報を含むサーチ情報を記憶しておき、サーチ情報を記憶した環境と同じ環境でＣＤＭＡ通信装置を使用する場合に、記憶したサーチ情報を再利用して受信処理を行い、その間、サーチャー部の動作を停止する省電力制御を実施するからである。
【００２２】
また、サーチ情報に対応付けて位置情報を記憶しておき、省電力制御中に位置情報が変化した場合に省電力制御を解除したり、省電力制御中に受信エラーが発生した場合に省電力制御を解除したり、受信エラーが発生したことを表示するなどして使用者に報知する制御を行うことにより、省電力制御を実施することにより生じる不具合を未然に防止することができるからである。
【発明を実施するための最良の形態】
【００２３】
一般に、ＣＤＭＡ通信装置を使用して音声やデータ等の送受信を行う際、反射波や回折波によって複数の電波伝搬経路が生じ、受信部において複数のパス（マルチパス）が検出される。特に都市部での移動体通信装置におけるマルチパスは時々刻々変化する。そのため、ＣＤＭＡ通信装置の受信機では、サーチャー部においてパスの検出を随時行っている。また、電源起動時やハンドオーバー時、待ち受け中の間欠受信時等にセルの情報を捕捉するために、サーチャー部においてセルサーチも行っている。
【００２４】
上記、従来のＣＤＭＡ通信装置の動作について図４を参照して説明すると、Ａ／Ｄ変換部１からベースバンド信号がサーチャー部２、フィンガー部３ａ、３ｂ、３ｃに出力される。サーチャー部２では、上記受信信号に拡散符号をシフトしながら乗算し、各遅延時間上の相関値を得て遅延プロファイルを作成する。そして、その遅延プロファイルにおいてパスのしきい値判定を行い、有効と判断したパス情報などをフィンガー部３ａ、３ｂ、３ｃに通知する。
【００２５】
例えば、有効と判断されたパスが三つの場合、検出した三つパスを｛Ｐ１、Ｐ２、Ｐ３｝とすると、検出したパスをそれぞれフィンガー部に通知する。即ち、パス情報Ｐ１をフィンガー部３ａに、パス情報Ｐ２をフィンガー部３ｂに、パス情報Ｐ３をフィンガー部３ｃに通知する。また、有効と判断されたパスが二つの場合は、検出した二つのパスを｛Ｐ１’、Ｐ２’｝とすると、パス情報Ｐ１’をフィンガー部３ａに、パス情報Ｐ２’をフィンガー部３ｂに通知し、フィンガー部３ｃにはパス無しと、通知する。
【００２６】
フィンガー部３ａ、３ｂ、３ｃでは、通知されたパス情報などに基づいて逆拡散用の符号を生成し、入力するベースバンド信号に乗算し逆拡散を行う。パス情報が無い場合は、逆拡散動作を行わない。レイク合成部４では、それぞれのフィンガー部から出力される逆拡散後の信号を合成し復調信号を出力する。
【００２７】
ここで、上記受信動作において着目すべき点は、サーチャー部２で遅延プロファイルの作成からパス情報の出力までの動作を絶えず繰り返している点である。また、サーチャー部２は、高速にパスを検出する目的から回路規模も大きく消費電力も大きい。従って、ＣＤＭＡ通信装置の消費電力を低減するには、サーチャー部２の電力を低減することが効果的である。
【００２８】
そこで、本発明では、過去に使用したパス情報を含むサーチ情報を学習して記憶し、その記憶したサーチ情報を再利用してフィンガー部で逆拡散処理を実施することにより、その間、サーチャー部２の動作を停止させて電力消費を抑え、ＣＤＭＡ通信装置全体の電力消費の低減を図る。
【００２９】
具体的には、図１において、Ａ／Ｄ変換部１より、ディジタルベースバンド信号に変換された受信信号が出力される。サーチャー部２では、その信号から遅延プロファイルを作成し受信した信号の伝搬経路を捕捉し、フィンガー部３ａ、３ｂ、３ｃにパス情報などを通知する。フィンガー部３ａ、３ｂ、３ｃでは、それぞれサーチャー部２から通知されたパス情報などに基づいて、逆拡散用の符号を生成し、受信信号の逆拡散を行う。レイク合成部４では、それぞれのフィンガー部から出力される逆拡散後の信号を合成し復調する。
【００３０】
また、サーチ情報記憶手段５では、特定の使用環境において、サーチャー部２が通知するパス情報を含むサーチ情報を記憶し、サーチャー制御手段６は、フィンガー部に設定するパス情報として、サーチャー部２の情報を用いるか、サーチ情報記憶手段５の情報を用いるかの切替信号をサーチ情報切替手段７に送り、再度、特定の使用環境でＣＤＭＡ通信装置を使用する場合に、サーチ情報記憶手段５からの情報を用いるように切替制御を行うと同時に、サーチャー部２の動作を停止させる省電力制御を行う。
【００３１】
また、省電力制御を実施することによる生じる不具合を未然に防止するために、サーチ情報記憶手段５にパス情報に対応付けて位置情報を記憶しておき、省電力制御中に位置情報が変化した場合に省電力制御を解除したり、省電力制御中に受信エラーが発生した場合に省電力制御を解除したり、受信エラーが発生したことを表示するなどして使用者に報知する制御を行う。
【００３２】
これにより、通信に支障なくサーチャー部２の動作を一時的に停止することができ、ＣＤＭＡ通信装置の消費電力を効果的に低減することができる。
【実施例】
【００３３】
上記した本発明の実施の形態についてさらに詳細に説明すべく、本発明の一実施例に係るＣＤＭＡ通信装置及びその消費電力低減方法並びに制御プログラムについて、図１乃至図３を参照して説明する。図１は、本実施例に係るＣＤＭＡ通信装置の受信機の構成を模式的に示すブロック図であり、図２は、サーチ情報の一例を示す図である。また、図３は、サーチ情報の切替動作を示すフローチャート図である。
【００３４】
図１に示すように、本実施例のＣＤＭＡ通信装置の受信機は、Ａ／Ｄ変換部１と、サーチャー部２と、フィンガー部３ａ、３ｂ、３ｃと、レイク合成部４と、サーチ情報記憶手段５と、サーチャー制御手段６と、サーチ情報切替手段７などで構成される。なお、図１では、フィンガー部を３つ設ける構成を示しているが、フィンガー部は複数であればよい。また、図１の構成は例示であり、図示しない他の手段、例えば、操作部や表示部、時計部、位置情報検出部などを備える構成としてもよい。
【００３５】
Ａ／Ｄ変換部１は、ＣＤＭＡ通信装置が受信したアナログの信号からデジタルのベースバンド信号を出力する。また、サーチャー部２は、Ａ／Ｄ変換部１から出力されるベースバンド信号に基づいて遅延プロファイルを作成し、受信した信号のマルチパスを捕捉すると共に、ハンドオーバー時等にセル情報の検出を行う。また、フィンガー部３ａ、３ｂ、３ｃは、サーチャー部２で捕捉したパス情報、セル情報に基づいて、逆拡散用の符号を生成し、受信信号の逆拡散を行う。レイク合成部４では、それぞれのフィンガー部から出力される逆拡散後の信号を合成し復調する。
【００３６】
また、サーチ情報記憶手段５は、サーチャー部２が通知するサーチ情報を学習し記憶する。サーチャー制御手段６は、フィンガー部３ａ、３ｂ、３ｃに設定するサーチ情報（パス情報）として、サーチャー部２の情報を用いるか、サーチ情報記憶手段５の情報を用いるかの切替信号をサーチ情報切替手段７に送り、サーチ情報（パス情報）の入力元の切替制御を行う。また、同時にサーチャー部２の情報を選択していない状態では、サーチャー部２の動作を停止させる制御を行う。サーチ情報切替手段７は、サーチャー制御手段６からの切替信号に基づいて、サーチャー部２又はサーチ情報記憶手段５とフィンガー部との接続の切替を行う。
【００３７】
なお、上記サーチャー制御手段６は、ＣＤＭＡ通信装置にハードウェアとして構成してもよいし、コンピュータをサーチャー制御手段６として機能させる制御プログラムとして構成し、該制御プログラムをＣＤＭＡ通信装置で実行させる構成としてよい。
【００３８】
次に、上記構成のＣＤＭＡ通信装置の受信動作に関して説明する。
【００３９】
まず、通常の受信に際しては、従来と同様に、Ａ／Ｄ変換部１からベースバンド信号がサーチャー部２、フィンガー部３ａ、３ｂ、３ｃに出力される。サーチャー部２では、上記受信信号に拡散符号をシフトしながら乗算し、各遅延時間上の相関値を得て遅延プロファイルを作成する。そして、その遅延プロファイルにおいてパスのしきい値判定を行い、有効と判断したパス情報などをフィンガー部に通知する。例えば、有効と判断されたパスが三つの場合、検出した三つパスを｛Ｐ１、Ｐ２、Ｐ３｝とすると、パス情報Ｐ１をフィンガー部３ａに、パス情報Ｐ２をフィンガー部３ｂに、パス情報Ｐ３をフィンガー部３ｃに通知する。また、有効と判断されたパスが二つの場合は、検出した二つのパスを｛Ｐ１’、Ｐ２’｝とすると、パス情報Ｐ１’をフィンガー部３ａに、パス情報Ｐ２’をフィンガー部３ｂに通知し、フィンガー部３ｃにはパス無し、と通知する。
【００４０】
フィンガー部３ａ、３ｂ、３ｃでは通知されたパス情報などに基づいて、逆拡散用の符号を生成し、入力するベースバンド信号に乗算し逆拡散を行う。パス情報が無い場合は、逆拡散動作を行わない。レイク合成部４では、それぞれのフィンガー部から出力される逆拡散後の信号を合成し復調信号を出力する。
【００４１】
ここまでの動作は従来と同様であるが、本実施例では、ＣＤＭＡ通信装置の消費電力を低減するために、ＣＤＭＡ通信装置が特定の場所にある場合に、サーチ情報記憶手段５では、サーチャー部が通知するパス情報を含むサーチ情報を記憶する。
【００４２】
上記サーチ情報記憶手段５に対する記憶開始の指示と記憶停止の指示は、ＣＤＭＡ通信装置の使用者が操作部に予め設けたボタン等を操作することによって行う。具体例としては、自宅や職場、学校等で、長い間ＣＤＭＡ通信装置を移動させずに置いておく場所があれば、その場所でのサーチ情報を記憶させるために、その場所にＣＤＭＡ通信装置を置いてサーチ情報記憶開始の制御を使用者が行う。また、サーチ情報の記憶に必要な所望時間経過後に、使用者はサーチ情報記憶停止の制御を行う。
【００４３】
図２に、上記手順でサーチ情報記憶手段５ｂに記憶されたサーチ情報の一例を示す。図２に示すように、一回の記憶毎に、大項番が一つ付与される。ここでは、大項番が１から３まで付与されているので、サーチ情報の記憶処理が３回行われた場合の例になっている。小項番は、記憶中にセル情報、パス情報、位置情報に変化があった場合に一つ付与される。ここで、セル情報はセル毎に持つ通信処理に必要な情報のことで、スクランブルコード情報等が該当する。パス情報とは、逆拡散時にコード演算のタイミングとなる遅延プロファイルにおいて閾値計算より求められた情報である。また、位置情報とは、ＧＰＳ(Global Positioning System)から得られる緯度、経度情報等の通信装置の位置を特定する情報である。
【００４４】
図２で、大項番１に対して、小項番が１から４まで割り当てられているのは、大項番１のサーチ情報記憶中に、セル情報もしくはパス情報に変化が発生したことを示しており、小項番１については、記録開始後ｔｅ１１時間経過するまでのサーチ情報がｃ１１、ｐ１１１、ｐ２１１、ｐ３１１、ｉ１１であったことを示し、小項番２については、記録開始からｔｓ１２時間経過後、ｔｅ１２時間経過するまでのサーチ情報がｃ１２、ｐ１１２、ｐ２１２、ｐ３１２、ｉ１２と変化している例を示している。小項番３、４も同様であり、記録開始からｔｅ１４時間経過後にサーチ情報の記録を終了している。
【００４５】
また、大項番２、３については、記録中にサーチ情報に変化がなかったので小項番が一つだけ割り当てられている。また、大項番３については、記録終了時間ｔｅ３１＝０の場合の例で、これは記録開始時点のサーチ情報のみを記憶していることを示している。
【００４６】
なお、図２の構成は例示であり、少なくともパス情報が含まれていればよく、他の項目は適宜変更することができる。例えば、開始時間と終了時間に代えて開始時間と継続期間を記憶してもよいし、セル情報や位置情報を省略してもよいし、他の情報を追加してもよい。
【００４７】
このようにして、サーチ情報記憶手段５にサーチ情報を記憶した後、再度、サーチ情報を記憶した環境と同じ環境でＣＤＭＡ通信装置を使用する場合に、図３に示すように動作させることによってＣＤＭＡ通信装置の消費電力を低減する。
【００４８】
具体的には、まず、ステップＳ１０１で、ＣＤＭＡ通信装置の使用者が操作部に予め設けられたボタン等を操作することによって、フィンガー部に設定するサーチ情報として、サーチャー部２の情報を用いるか、サーチ情報記憶手段５の情報を用いるかを指示する。次に、ステップＳ１０２で、サーチャー制御手段６は、サーチャー部２の情報、又は、サーチ情報記憶手段５の情報のいずれを用いるかを判断し、切替信号をサーチ情報切替手段７に送り、サーチ情報の切替制御を行う。
【００４９】
例えば、自宅の机の上にＣＤＭＡ通信装置を置いた時に記憶したサーチ情報を図２に示す大項番２とし、サーチ情報記憶後、自宅の机の上に再度ＣＤＭＡ通信装置を置いた際に、使用者が記憶されたサーチ情報の大項番２を使用する制御を行う場合は、ステップＳ１０３で、サーチャー制御手段６は、サーチ情報切替手段７に対してサーチ情報記憶手段５の出力をフィンガー部３と接続させる切替信号を送信する。そして、ステップＳ１０４で、サーチ情報記憶手段５に対して、大項番２で記憶されているサーチ情報をフィンガー部３に設定するように制御する。また、ステップＳ１０５で、同時にサーチャー部２に対して動作を停止させる制御を行う。これにより、サーチャー部２の動作は停止し、フィンガー部３は記憶されていたサーチ結果に基づいて動作している状態となる。
【００５０】
その後、ステップＳ１０６で、サーチャー制御手段６は、サーチ情報に記憶された終了時間を監視し、終了時間が経過したら（ここではｔｅ２１時間経過後に）、ステップＳ１０７で、サーチャー部２の動作を再開し、ステップＳ１０８で、サーチ情報切替手段７に対してサーチャー部２とフィンガー部３を接続させる切替信号を送信する。これにより、ｔｅ２１時間サーチャー部２の動作が停止した後、動作を再開し一連の省電力動作が終了する。これら一連の作用により、サーチャー部２におけるｔｅ２１時間分の消費電力を低減する省電力効果を得ることができる。
【００５１】
また、大項番１を選択して省電力制御を行う場合は、各小項番における開始時間、終了時間に従って、サーチ情報からパス情報を読み出して、フィンガー部３に順次割り当てを行い、省電制御開始からｔｅ１４時間経過後に、省電制御を終了する。また、大項番３を選択して省電力制御を行う場合の動作については、使用者が省電力制御の解除制御を行うまで、サーチャー部２の動作を停止する。
【００５２】
このように、特定の場所で予めサーチ情報をサーチ情報記憶手段５に記憶しておき、サーチ情報を記憶した環境と同じ環境でＣＤＭＡ通信装置を使用する場合に、使用者の操作により、サーチャー制御手段６の切替信号に従ってサーチ情報切替手段７はサーチ情報記憶手段５の出力をフィンガー部３と接続すると共に、サーチャー部２の動作を停止させて省電力制御を行い、また、サーチ情報に記憶された時間が経過した後、又は使用者の操作により、省電力制御を解除するため、ＣＤＭＡ通信装置の消費電力を効果的に低減することができるようになる。
【００５３】
ここで、サーチ情報を記憶した環境と同じ環境にＣＤＭＡ通信装置が置かれた場合には通信状態を良好に保つことができるが、省電力制御中にＣＤＭＡ通信装置が想定外の移動をしたことにより、記憶されているサーチ情報が有効に作用せず受信障害を引き起こす恐れがある。そのような不具合を防止するためには、図２に示すように、サーチ情報記憶手段５にパス情報に対応付けてＧＰＳで得られる位置情報を記憶しておき、サーチャー制御手段６で、省電力制御中に記憶した位置情報と所定時間経過後の位置情報とを比較し、位置情報が変化した場合に、省電力制御を解除する制御を行う構成とすることができる。これにより、サーチ情報の記憶時と異なる場所に通信装置が移動した場合に自動的に省電力制御を停止し、受信障害の発生を未然に防止することができる。
【００５４】
また、サーチ情報の記憶時の環境と現在の環境とが相違する場合（例えば、電波の受信状態が変化した場合など）、省電力制御中であっても受信エラーが発生することが考えられる。その場合には、サーチャー制御手段６で受信エラーを監視し、受信エラーが発生した場合に、省電力制御を解除したり、受信エラーが発生したことを使用者に伝えるためのメッセージを表示部に表示したり警報音を鳴動させる構成とすることもできる。これにより、省電力制御を行うことにより発生する不具合を未然に防止することができる。
【００５５】
なお、上記実施例では、サーチ情報をサーチ情報記憶手段５に記憶する指示や、サーチ情報切替手段７の接続を切り替える指示を使用者が行う構成としたが、例えば、ＧＰＳで得られる位置情報を監視して、頻度が高い又は留まる時間が長い位置を特定し、特定した位置にＣＤＭＡ通信装置が持ち込まれた場合に、自動的にサーチ情報をサーチ情報記憶手段５に記憶したり、自動的にサーチ情報切替手段７の接続を切り替える制御を行うようにしてもよい。
【産業上の利用可能性】
【００５６】
本発明は、過去に利用した情報を利用して動作させることができる任意の携帯端末及び該携帯端末における消費電力低減方法に適用することができる。
【図面の簡単な説明】
【００５７】
【図１】本発明の一実施例に係るＣＤＭＡ通信装置の受信機の構成を模式的に示すブロック図である。
【図２】本発明の一実施例に係るサーチ情報の一例を示す図である。
【図３】本発明の一実施例に係るＣＤＭＡ通信装置におけるサーチ情報の切替動作を示すフローチャート図である。
【図４】従来のＣＤＭＡ通信装置の受信機の構成を模式的に示すブロック図である。
【符号の説明】
【００５８】
１  Ａ／Ｄ変換部
２  サーチャー部
３ａ、３ｂ、３ｃ  フィンガー部
４  レイク合成部
５  サーチ情報記憶手段
６  サーチャー制御手段
７  サーチ情報切替手段
【図１】
2007251616.tif 000003
【図２】
2007251616.tif 000004
【図３】
2007251616.tif 000005
【図４】
2007251616.tif 000006